(57)【要約】【課題】  開口部まで進んだ流動体が逆流することがなく、かつ使用時には適量の流動体を格別特殊な操作を要求することがなく簡易に使用して容易に取り出すことができる包装容器が求められていた。【解決手段】  容器本体と、該容器本体の開放部に連結固定され又は一体に設けられた該容器本体の前記開放部を外気から抽出口以外で区画する栓体と、自然状態の時に該容器本体内部と外気を気密的に封止し、かつ容器本体内部が外気に対して正圧になった時には弾性変形して該容器本体内部に充填されている流動体の容器本体外部への流出を許すように逆止弁型に動作する前記栓体に連結固定され又は一体に設けられた弁体と、前記栓体の抽出口に連結固定され又は一体に設けられ、前記容器本体の底部付近まで延設されている筒状体とからなる包装容器を提供する。【選択図】  図１
2017061333.tif 000002
【特許請求の範囲】
【請求項１】
容器本体と、該容器本体の開放部に連結固定され又は一体に設けられた該容器本体の前記開放部を外気から抽出口以外で区画する栓体と、自然状態の時に該容器本体内部と外気を気密的に封止し、かつ容器本体内部が外気に対して正圧になった時には弾性変形して該容器本体内部に充填されている流動体の容器本体外部への流出を許すように逆止弁型に動作する前記栓体に連結固定され又は一体に設けられた弁体と、前記栓体の抽出口に連結固定され又は一体に設けられ、前記容器本体の底部付近まで延設されている筒状体とからなる包装容器。
【請求項２】
前記容器本体は、自然状態で自立保形できる程度の剛性と、該容器本体を把持押圧した時には容易に内側に変形できる程度の弾性とを有していることを特徴とする請求項１記載の包装容器。
【請求項３】
容器本体と栓体装着部の間に内外流通空気路が設けられていることを特徴とする請求項１または２記載の包装容器。
【発明の詳細な説明】
【技術分野】
【０００１】
本発明は、包装容器に関し、詳しくは包装容器を手で押すことで包装容器に充填等された水や粘稠体などの流動体を容易に包装容器外に押し出すことができ、他方、通常時にはその包装容器の充填部内に外気が侵入することがないように密封または密封に近い形で通常状態では流動体が流出されない包装容器に関するものである。
【背景技術】
【０００２】
本発明が代表的に適用される流動体として化粧料が用いられる包装容器の場合を例にして以下説明すると、壜やチューブ等が容器として使用されていて、これらの容器に化粧料を充填した状態で販売され、使用時にはキャップを外し所定量を手のひらにとりだして使用するように用いられる。
【０００３】
また上記のうちの壜容器については、例えば乳液等のうちでもかなり粘性の高いものについては広口の壜口を螺子式キャップで単純に閉じるようにしたものが普通であり、また乳液等でも比較的粘性の低いものや化粧水等の粘性が殆どないものでは、壜口に、小さな孔を有する内蓋を装着固定することで、キャップをはずしたときに化粧水等が一度に流れ出ないようにしているのが普通である。
【０００４】
しかし、防腐剤等が添加されていない無添加化粧品である場合、長期に渡って使用すると、化粧料成分の酸化，劣化を招く虞があるという問題があり、また殺菌剤が添加されていないものは、製造時に無菌処理されたものであっても、化粧料には油脂等の細菌繁殖に適した成分を含む場合が多いために空中の浮遊細菌が繁殖する可能性があり、この点からも化粧料の腐敗を招く虞がある。
【０００５】
そのために、特許文献１の様に、化粧料等の流動体が充填され、かつ一端が開放された易変形性の袋状の内側容器と、この内側容器の前記一端の開放部に連結固定され又は一体に設けられた栓体装着部と、この栓体装着部に装着されて該内側容器一端の前記開放部を外気から区画する栓体と、自然状態の時に該内側容器内部と外気を気密的に封止し、かつ内側容器内部が外気に対して正圧になった時には弾性変形して該内部に充填されている流動体の外部への流出を許すように逆止弁型に動作する前記栓体に設けられた弁体と、前記内側容器を隙間をあけて内包するように前記栓体装着部に連結固定され又は一体に設けられた外側容器と、を備えた包装容器であって、前記外側容器は、自然状態で自立保形できる程度の剛性と、該外側容器を把持押圧した時には容易に内側に変形できる程度の弾性とを有し、かつ指で塞ぐことができる大きさ内外流通空気孔が設けられていることを特徴とする化粧料等の包装容器が発明された。
【０００６】
これによれば、未使用の化粧料等が残っている容器内部を、外気から確実に密封することができ、かつ使用時には適量の化粧料を容易に取り出すことができる容器を、部品点数が少なくかつ簡単な構造のものとして安価に提供できる。
【０００７】
また、化粧料を使用する者にとって格別特殊な操作を要求することがなく、簡易に使用して上記作用を実現できる。
【０００８】
また、充填する内容物が化粧料に限定されず、各種の調味料あるいは目薬等の医薬品，医薬部外品等用の容器としても、同様の作用を得ることができる。
【０００９】
さらに、特許文献２の様に、両端に開口部を有する柔軟な筒状胴部と、前記筒状胴部の
一方の開口部と連接し、かつ肩部と中空管状の頚部とからなるスパウトと、前記スパウトを上から覆って密封する蓋部と、を有し、前記蓋部は前記筒状胴部を変形せしめて内部の圧力を高めることによって開く開閉口部を有することを特徴とするチューブ容器も公知であり、これにより、内容物を取り出す時に片手で簡便に取り出すことができる。
【００１０】
なお、この場合、図１０の様に正立状態の場合には流動体１０５は底に溜まっており、流動体１０５を排出するためには倒立状態にして把持押圧する必要があった。
【００１１】
他方、図７に示すように、自然状態で自立保形できる程度の剛性と把持押圧した時には容易に内側に変形できる程度の弾性とを有している容器本体７１と、該容器本体７１の開放部に連結固定され又は一体に設けられた該容器本体７１の前記開放部を外気から抽出口７３以外で区画する栓体７２と、前記栓体７２の抽出口７３に連結固定され又は一体に設けられ、前記容器本体７１の底部付近まで延設されている筒状体７４とからなる流動体７６を内容物とする包装容器が知られている。
【００１２】
この場合、図８に示す様に容器本体８１を把持押圧８８することにより包装容器の内圧が高まり、筒状体８４を経由して栓体８２の抽出口８３から流動体８６が排出液８７となる。
【００１３】
ここで、図９の様に加圧を止めると容器本体９１は形状が復元し復元力９７が働き、減圧に転じ、抽出口９３に吸気力９８が働き、流動体９６のみならず空気も逆流体９９となり、抽出口９３、筒状体９４、開口部９５を経由して容器本体９１内まで逆流し、その一部は空気泡１００となって浸入する。
【先行技術文献】
【特許文献】
【００１４】
【特許文献１】特開２０００−２５３９２６号公報
【特許文献２】特開２００９−７８８５２号公報
【発明の概要】
【発明が解決しようとする課題】
【００１５】
自然状態で自立保形できる程度の剛性と把持押圧した時には容易に内側に変形できる程度の弾性とを有している容器本体と、該容器本体の開放部に連結固定され又は一体に設けられた該容器本体の前記開放部を外気から抽出口以外で区画する栓体と、前記栓体の抽出口に連結固定され又は一体に設けられ、前記容器本体の底部付近まで延設されている筒状体とからなる流動体を内容物とする包装容器では、未使用の流動体等が残っている容器内部を、外気から確実に密封することができなかった。
【００１６】
すなわち、容器本体が復元するときに流動体と空気が混合した状態で開口部から筒状体を経由して容器本体内に逆流する。
【００１７】
その場合、開口部からいったん出た流動体が吸い寄せられて開口部を経由してこの包装容器に戻ってしまうことがあったが、このとき、開口部から出ている状態で環境により汚染し、不衛生になる場合があった。また、流動体と空気が混合した状態は、酸化などの変質影響を受けやすいのみならず、その開口部が栓体の突出部に開口しているために他の成分に接触しやすい状態となっており、不衛生な状況になる元凶となっていた。
【００１８】
そこで本発明では、流動体と空気が混合した状態を最低限とし、しかも、開口部まで進んだ流動体が容器本体まで逆流することがなく、かつ、使用時には適量の流動体を格別特殊な操作を要求することがなく簡易に使用して容易に取り出すことができる包装容器を、
部品点数が少なくかつ簡単な構造のものとして安価に提供することができる包装容器が求められていた。
【課題を解決するための手段】
【００１９】
そこで、本発明では、鋭意研究の結果、容器本体と、該容器本体の開放部に連結固定され又は一体に設けられた該容器本体の前記開放部を外気から抽出口以外で区画する栓体と、自然状態の時に該容器本体内部と外気を気密的に封止し、かつ容器本体内部が外気に対して正圧になった時には弾性変形して該容器本体内部に充填されている流動体の容器本体外部への流出を許すように逆止弁型に動作する前記栓体に連結固定され又は一体に設けられた弁体と、前記栓体の抽出口に連結固定され又は一体に設けられ、前記容器本体の底部付近まで延設されている筒状体とからなる包装容器を提供するものである。
【００２０】
さらに、前記包装容器において、前記容器本体は、自然状態で自立保形できる程度の剛性と、該容器本体を把持押圧した時には容易に内側に変形できる程度の弾性とを有している包装容器を提供するものである。
【００２１】
さらに、これら包装容器において、容器本体と栓体装着部の間に内外流通空気路が設けられている包装容器を提供するものである
【発明の効果】
【００２２】
以上の発明によって、容器本体が復元するときにおいても、開口部からいったん出た流動体が吸い寄せられて開口部を経由してこの包装容器に戻ってしまうことがなくなり、これにより流動体が環境により汚染し、不衛生になる場合がなくなった。また、流動体と空気が混合した状態とはならず、酸化などの変質影響を受けにくくなり、また、その開口部が栓体の突出部に開口していても他の成分に接触しにくくなり、衛生的なものとなり、かつ、使用時には適量の流動体を格別特殊な操作を要求することがなく、簡易に使用して容易に取り出すことができる包装容器を、部品点数が少なくかつ簡単な構造のものとして安価に提供できるようになった。
【図面の簡単な説明】
【００２３】
【図１】本発明における包装容器の概念正面断面図である。
【図２】図１の包装容器の容器本体に加圧した状態を示す概念正面断面図である。
【図３】図１の包装容器の容器本体の加圧を解いた状態を示す概念正面断面図である。
【図４】本発明の実施の形態における容器本体の一部を示す概念正面図である。
【図５】図４の実施形態とは異なる本発明の実施の形態における栓体の一部を示す概念正面図である。
【図６】図４や図５の実施形態とは異なる本発明の実施の形態における容器本体の一部を示す概念正面図である。
【図７】従来の包装容器の概念正面断面図である。
【図８】図７の包装容器の容器本体に加圧した状態を示す概念正面断面図である。
【図９】図８の包装容器の容器本体の加圧を解いた状態を示す概念正面断面図である。
【図１０】図７の包装容器とは別の従来の容器本体の加圧を解いた状態を示す概念正面断面図である。
【発明を実施するための形態】
【００２４】
以下、本発明の実施の一形態について、図１から図３を用いて、自然状態で自立保形できる程度の剛性と把持押圧した時には容易に内側に変形できる程度の弾性とを有している容器本体と、容器本体の開放部に連結固定され又は一体に設けられた容器本体の開放部を外気から抽出口以外で区画する栓体と、自然状態の時に容器本体内部と外気を気密的に封止し、かつ容器本体内部が外気に対して正圧になった時には弾性変形して容器本体内部に
充填されている流動体の容器本体外部への流出を許すように逆止弁型に動作する栓体に連結固定され又は一体に設けられた弁体と、栓体の抽出口に連結固定され又は一体に設けられ、容器本体の底部付近まで延設されている筒状体とからなる包装容器の場合で説明する。
【００２５】
本発明の包装容器は、図１に示す様に、容器本体１１と栓体１２と弁体１３と筒状体１４からなっている。
【００２６】
容器本体１１は、自然状態で自立保形できる程度の剛性と把持押圧した時には容易に内側に変形できる程度の弾性とを有しているものが代表である。
【００２７】
例えば、円筒状や箱型形状で辺が丸まっている角丸形状など、さらに中央部分に持ちやすい様に形を絞った形状など各種の外形を採用することが可能である。
【００２８】
またその一端部に栓体を組み付け可能とした容器として構成したものが好ましく使用される。この場合の栓体を組み付け可能とする構成は、図１の様にネジが一般的であるが、ロック機構など他の栓体を組み付け可能とする構成でも良く、栓体と一体化していてもよい。
【００２９】
また、その材質は、例えば、低密度ポリエチレン樹脂、中密度ポリエチレン樹脂、高密度ポリエチレン樹脂、直鎖状低密度ポリエチレン樹脂等の各種ポリエチレン、ポリプロピレン等のポリオレフィン系の樹脂、プラスチック材料を用いて形成できる。
【００３０】
また、比較的剛性の外側容器及び、軟質性の内側容器からなる二重容器で構成することもできる。
【００３１】
また、栓体１２は、容器本体に組付け固定されて外気から封止するものであり、容器本体の開放部に連結固定され又は一体に設けられた容器本体の開放部を外気から抽出口１４以外で区画する構造になっている。
【００３２】
また、その材質は、例えば、低密度ポリエチレン樹脂、中密度ポリエチレン樹脂、高密度ポリエチレン樹脂、直鎖状低密度ポリエチレン樹脂等の各種ポリエチレン、ポリプロピレン等のポリオレフィン系の樹脂、プラスチック材料を用いて形成できる。
【００３３】
また、比較的剛性の外側容器及び、軟質性の内側容器からなる二重容器で構成することもできる。
【００３４】
また、弁体１３は、自然状態の時に容器本体１１内部と外気を気密的に封止し、かつ容器本体１１内部が外気に対して正圧になった時には弾性変形して容器本体１１内部に充填されている流動体の容器本体外部への流出を許すように逆止弁型に動作する前記栓体に連結固定された構造を持っている。
【００３５】
例えば、栓体を構成する部材の少なくとも一部を構成する板状弾性体に、内・外面に渡るスリットを十字形等の形状に穿設し、これによって厚み方向に撓み変形可能なリップを形成させて、弁構造としたものを例示することができる。
【００３６】
なお、弾性体をアヒルのくちばし状の形状（「ダックビル」と称する）に形成してその先端にスリットを穿設したものを用いることもでき、この場合には逆子弁作用が確実に得られる。これらのスリット型、ダックビル型の弁部という簡単な構造により、内側容器に充填した化粧料等を外圧をかけることで外部に流出（吐出）させることができるが、外側
から該内部に空気が入ることは防いだ逆止弁を構成でき、またスリット部の肉厚やスリットの大きさ等により、吐出量を調節することができる。
【００３７】
材質は、種々の合成ゴム、例えば、ブタジエンスチレンゴム、ブチルゴム、ネオプレン、シリコーンゴム等の弾性体を用いて構成することができる。
【００３８】
この弁体１３は、図１の様にこの弁体１３の弾性性を利用してロック式の固着を栓体１２に行っているが、それに限らず、例えば、上記栓体の抽出口に螺子込みされる固定リング等を用いて固定する、ネジ方式で固定することなどが採用できる。
【００３９】
筒状体１５は、パイプなどの形状で、その上端部で抽出口１４に連結固定され又は一体に設けられ、その下端部で容器本体１１底部付近まで延設されていることが必要である。下端部は、底部と接触しても接触しなくても構わない。ただ、底部と完全に接触している状態だと下端部が閉鎖されてしまうため、流動体が筒状体の下端部で出入りできる様に、底部までの長さより筒状体を若干長くすることにより底部で筒状体が湾曲して斜めになって開口部１６が形成される構造になっているとか、その逆に底部までの長さより筒状体を若干短くすることにより、底部と下端部との間に間隙を生じさせ、流動体の流路を確保するとか、筒状体の下端部を斜めに切った状態とすることにより流路を確保するなど各種方法を用いることができる。
【００４０】
また、その材質は、例えば、低密度ポリエチレン樹脂、中密度ポリエチレン樹脂、高密度ポリエチレン樹脂、直鎖状低密度ポリエチレン樹脂等の各種ポリエチレン、ポリプロピレン等のポリオレフィン系の樹脂、プラスチック材料を用いて形成できる。
【００４１】
抽出口１４は、栓体１２に設けられているものであり、その部分で流動体１８が包装容器内部から外部へ移動する経路となっているものであり、一般的には円筒形の貫通穴になっているもので、上端部で開口している少し先には弁体１３があり、下端部で筒状体１５に直接繋がっているのが一般的な形態である。
【００４２】
内外流通空気路である容器本体１１の切り欠き１９は、通常はこの切り欠き１９を通して包装容器の内外が通気できることで内外圧力差をなくし、通常時には該内外の通気を阻止し、包装容器を把持して握る、つまり内側にへこむように把持押圧することで包装容器内部を加圧できることにより、それに応じて空気が包装容器外部に排出されるようにするためのものである。また逆に、包装容器を把持して握る把持押圧動作を解除、つまり外側に復帰することで包装容器内部を減圧でき、それに応じて空気が包装容器外部から導入されるようにするためのものである。
これは、容器本体１１と栓体１２との間に極めて小さな空気路を設けることで形成するのが一般的であり、例えば図４のように、容器本体４１の上端部に小さな切込み４２を設けるとか、図５の様に栓体５１に切り欠き５２を設けるとか、栓体の容器本体へのネジ部のシールを弱くする構造にするとか、図６の様に、容器本体６１のネジ部に相応の空気流入孔６２を設けるなどの手段で構成するなど各種の手段を採りうる。
【００４３】
このような包装容器は、図２の様に把持押圧２８により容器本体２１が変形し、これにより包装容器の内圧が高まり、流動体２６が筒状体２５、栓体２２の抽出口２３、を経由して圧が高まり弁体２３が開いて流動体２６が排出液２７となって使用できる。この場合、若干の空気は内外流通空気路である切り欠き２９を通って排気３０される。
【００４４】
さらに、図３の様に把持押圧を解除すると復元力３７が働き、容器本体３１が元の形状に復帰する。この場合、弁体３３は逆止効果が働き、この部分より流動体も空気も抽出口３４や筒状体３５を通って包装容器内部に戻ることはない。なお、この場合包装容器は減
圧状態になっているため、少しずつ空気は内外流通空気路である切り欠き３８を通って入気３９される。
【符号の説明】
【００４５】
１１、２１、３１、４１、６１、７１、８１、９１、１０１：容器本体
１２、２２、３２、５１、７２、８２、９２、１０２：栓体
１３、２３、３３、１０３：弁体
１４、２４、３４、７３、８３、９３、１０４：抽出口
１５、２５、３５、７４、８４、９４：筒状体
１６、７５、８５、９５：開口部
１７：ネジ部
１８、２６、３６、７６、８６、９６、１０５：流動体
１９、２９、３８、４２、５２：切り欠き
２７、８７：排出液
２８、８８：把持押圧
３０：排気
３７、９７：復元力
９８：吸気力
９９：逆流体
１００：巻出
【図１】
2017061333.tif 000003
【図２】
2017061333.tif 000004
【図３】
2017061333.tif 000005
【図４】
2017061333.tif 000006
【図５】
2017061333.tif 000007
【図６】
2017061333.tif 000008
【図７】
2017061333.tif 000009
【図８】
2017061333.tif 000010
【図９】
2017061333.tif 000011
【図１０】
2017061333.tif 000012